(57)【要約】【課題】既存の建物の内部空間に設置される屋内建築物Ａとして、床部の収納部をなくして床部のスペースを広く確保し、かつ屋内建築物Ａの圧迫感をなくして抜け感やすっきり感が得られるようにする。【解決手段】建物内の設置空間の床面Ｆに設置された矩形状の木製床部６と、この床部６の周囲の少なくとも角部に立設される複数の木製柱２，２，…と、これら柱２，２，…の上端部間に横架された木製梁９〜１１とを備え、後側において隣接する３本の柱２，２，…間には、それら柱２，２，…間の壁部となる収納棚１５，１６が架け渡されている。収納棚１５，１６は、梁９〜１１と床部６との間にそれぞれ空間部Ｓ１，Ｓ２を空けるように両柱２，２の上下中間部間に架け渡されて固定され、かつ柱２よりも床部６中央側に突出している。【選択図】図３
2017036558.tif 000002
【特許請求の範囲】
【請求項１】
建物内における設置空間の床面に設置される屋内建築物であって、
上記設置空間の床面に設置される矩形状の木製床部と、
上記床部の周囲の少なくとも角部に立設される複数の木製柱と、
上記柱の上端部間に横架された木製梁とを備え、
隣接する一部の上記柱間には壁部が架け渡されており、
上記壁部は、梁と床部との間にそれぞれ空間部を空けるように両柱の上下中間部間に架け渡されて固定されていることを特徴とする屋内建築物。
【請求項２】
請求項１において、
壁部は、柱よりも床部中央側又はその反対側の少なくとも一方に突出している収納棚であることを特徴とする屋内建築物。
【請求項３】
請求項１又は２において、
梁又は柱の少なくとも一方には梁又は柱の長さ方向に延びる凹溝が形成されていることを特徴とする屋内建築物。
【請求項４】
請求項１〜３のいずれか１つにおいて、
床部の中央部に他の面よりも凹陥された凹陥部が形成されていることを特徴とする屋内建築物。
【請求項５】
請求項２〜４のいずれか１つにおいて、
収納棚は表側の開口部が床部の中央側を向き、裏面が設置空間の壁面に近接ないし当接していることを特徴とする屋内建築物。
【請求項６】
請求項１〜５のいずれか１つにおいて、
床部側方の設置空間の床面は通路とされ、
上記通路において上記床部と反対側端部には複数の通路用柱が立設され、
上記通路用柱の上端部間には通路用梁が、また下端部間には通路用根太がそれぞれ横架され、
上記通路の上方には、上記床部の通路側の梁と上記通路用梁との間に架け渡された細長い多数のルーバー板材を通路長さ方向に間隔を空けて並べてなる天井ルーバーが配置されている一方、
上記通路において床部と反対側縁部には、上記通路用梁と通路用根太との間に架け渡された細長い多数のルーバー板材を通路長さ方向に間隔を空けて並べてなる壁ルーバーが配置されていることを特徴とする屋内建築物。
【請求項７】
請求項１〜６のいずれか１つにおいて、
内部が子供用の遊び場所であることを特徴とする屋内建築物。
【発明の詳細な説明】
【技術分野】
【０００１】
本発明は、建物内における空間の床面に設置される屋内建築物に関する。
【背景技術】
【０００２】
従来、この種の屋内建築物として、例えば特許文献１に示されるように、モジュール化された部屋構成部材を組み合わせてなり、それらの部屋構成部材を組み立てることによって構築されるようにしたものが知られている。
【０００３】
また、屋内建築物ではないが、特許文献２には、デッキパネルが嵌合される枠体の四隅に柱を立設し、柱の上端部を桁により連結して枠組みとし、その側面に壁面パネルを、また上面に屋根をそれぞれ装着してキューブユニットとし、このキューブユニットを複数組み合わせることで、公園等の休憩コーナーを形成することが提案されている。
【先行技術文献】
【特許文献】
【０００４】
【特許文献１】特開昭６２−５０５６３号公報
【特許文献２】特開平１０−４６８４８号公報
【発明の概要】
【発明が解決しようとする課題】
【０００５】
ところで、建物の内部に子供の遊び場等のスペースを区画する場合、通常は、既存の床面とは別途に床部を形成し、その床部に遊具、玩具やスツール等を配置することが行われている。
【０００６】
しかし、その場合、床部の周りを床面から天井までの壁部で仕切ってしまうと、その壁部により建物内の空間も区画されるので、圧迫感が生じるのは避けられず、特に建物の内部空間が小さいときには顕著となる。
【０００７】
本発明は斯かる点に鑑みてなされたもので、その目的とするところは、既存の建物の内部空間に設置される屋内建築物の構成を特定することにより、屋内建築物の圧迫感をなくして抜け感やすっきり感が得られるようにすることにある。
【課題を解決するための手段】
【０００８】
上記の目的を達成するために、この発明では、床部の周りに柱を立て、その柱間に梁を横架して、屋内建築物をスケルトン構造にするとともに、柱間の一部に壁部をその上下に空間を空けた状態で固定するようにした。
【０００９】
具体的には、第１の発明は、建物内における設置空間の床面に設置される屋内建築物として、上記設置空間の床面に設置される矩形状の木製床部と、この床部の周囲の少なくとも角部に立設される複数の木製柱と、これら柱の上端部間に横架された木製梁とを備え、隣接する一部の上記柱間には壁部が架け渡されており、この壁部は、梁と床部との間にそれぞれ空間部を空けるように両柱の上下中間部間に架け渡されて固定されていることを特徴とする。
【００１０】
この第１の発明では、床部の周りに複数の柱が立設されて、それらの柱間に梁が横架されているので、屋内建築物は柱や梁がそのまま露出した現し（あらわし）仕上げのスケルトン構造となり、屋内建築物の内部が外側から見えるようになって、建物内の設置空間に屋内建築物が設置されていても圧迫感は生じず、抜け感やすっきり感が得られる。しかも、壁部の設置部分を除き、柱間には壁がないので、それらの柱間を通って屋内建築物の内部（床部）に対する出入りを自在に行うことができる。
【００１１】
また、一部の柱間に壁部が固定されているので、柱同士が壁部によって連結された状態となり、構造の安定性が得られる。
【００１２】
そして、壁部は梁と床部との間にそれぞれ空間部を空けるように両柱の上下中間部間に架け渡されて固定されているので、柱間に壁部が架け渡されているとはいえ、その上下の空間から屋内建築物の内部が外側から見えるようになり、圧迫感を抑えて抜け感やすっきり感を確保することができる。
【００１３】
第２の発明は、第１の発明において、壁部は、柱よりも床部中央側又はその反対側の少なくとも一方に突出している収納棚であることを特徴とする。
【００１４】
この第２の発明では、隣接する一部の柱間には壁部として収納棚が架け渡されて固定されているので、この収納棚に遊具や玩具等の収納物を収納すればよく、床部上に収納スペースは不要となり、床部のスペースを広く確保することができる。また、床部上に収納容器を置く場合のように収納容器が倒れて収納物が散らばることもなく、安定して収納することができる。
【００１５】
また、収納棚は、柱よりも床部中央側又はその反対側の少なくとも一方に突出しているので、収納棚の奥行きを大きくして多くの量の収納物を収納することができる。
【００１６】
また、柱間に収納棚が固定されているので、この収納棚は開口部を屋内建築物の内部又は外部のどちらに向けても配置することができる。
【００１７】
第３の発明は、第１又は第２の発明において、梁又は柱の少なくとも一方には梁又は柱の長さ方向に延びる凹溝が形成されていることを特徴とする。
【００１８】
この第３の発明では、梁又は柱の少なくとも一方に凹溝が形成されているので、この凹溝内に例えば照明器具、その配線類、間仕切り部材支持用のレール、ロールスクリーン、障子用の鴨居等を収容することができ、梁や柱の外部に露出するものを可及的に抑えて見映えを良くすることができる。
【００１９】
第４の発明は、第１〜第３の発明のいずれか１つにおいて、床部の中央部に他の面よりも凹陥された凹陥部が形成されていることを特徴とする。
【００２０】
この第４の発明では、床部の中央部に凹陥部が形成されているので、この凹陥部を例えば円形状、楕円形状、長円形状等のものとすることで、プール（但し、水や湯を溜める用途のプールではない）に似せることができる。そして、例えば子供等が床部に座って足をプールに入れたり、プール周りの床部で寝そべるか転がったりすることができ、さらにはプール内にボールや卵状のブロック等を収容して、それらで遊ぶことができる。
【００２１】
第５の発明は、第２〜第４の発明のいずれか１つにおいて、収納棚は表側の開口部が床部の中央側を向き、裏面が設置空間の壁面に近接ないし当接していることを特徴とする。
【００２２】
この第５の発明では、収納棚の裏面が設置空間の壁面に近接ないし当接しているので、収納棚の上下に空間部が形成されていても、その空間部は設置空間の壁面によって塞がれることとなり、屋内建築物の内部にある収納物等が空間部（特に下側の空間部）から抜け出ることはない。
【００２３】
第６の発明は、第１〜第５の発明のいずれか１つにおいて、床部側方の設置空間の床面は通路とされ、この通路において上記床部と反対側端部には複数の通路用柱が立設され、この通路用柱の上端部間には通路用梁が、また下端部間には通路用根太がそれぞれ横架され、上記通路の上方には、上記床部の通路側の梁と上記通路用梁との間に架け渡された細長い多数の板材を通路長さ方向に間隔を空けて並べてなる天井ルーバーが配置されている一方、上記通路において床部と反対側縁部には、上記通路用梁と通路用根太との間に架け渡された細長い多数の板材を通路長さ方向に間隔を空けて並べてなる壁ルーバーが配置されていることを特徴とする。
【００２４】
この第６の発明では、屋内建築物における床部側方の設置空間の床面は通路とされ、この通路の上方には、通路方向と交差する方向に延びる多数のルーバー板材からなる天井ルーバーが、また通路の床部と反対側縁部には、通路方向と交差する方向に延びる多数のルーバー板材からなる壁ルーバーがそれぞれ配置されているので、床部が側方で天井ルーバー及び壁ルーバーに覆われた構造になり、屋内建築物における床部と通路との一体感が生じる。
【００２５】
第７の発明は、第１〜第６の発明のいずれか１つにおいて、屋内建築物の内部が子供用の遊び場所であることを特徴とする。
【００２６】
この第７の発明では、圧迫感がなく抜け感やすっきり感が得られ、床部のスペースが広く確保され、遊具や玩具等の収納物が安定して収納される遊び場所を建物内の空間に区画することができる。
【発明の効果】
【００２７】
以上説明したように、本発明の屋内建築物によると、床部の周りに立設された複数の柱間に梁を横架し、隣接する一部の柱間に壁部を梁と床部との間にそれぞれ空間部を空けるように架け渡して固定したことにより、柱や梁がそのまま露出した現し（あらわし）仕上げのスケルトン構造の屋内建築物が得られ、柱間に架け渡されている壁部の上下の空間から屋内建築物の内部が外側から見えるようになり、圧迫感を抑えて抜け感やすっきり感を確保することができる。
【図面の簡単な説明】
【００２８】
【図１】図１は、本発明の実施形態１に係る屋内建築物の平面図である。
【図２】図２は、実施形態１に係る屋内建築物の正面図である。
【図３】図３は、実施形態１に係る屋内建築物の斜視図である。
【図４】図４は、左側収納棚の正面図である。
【図５】図５は、右側収納棚の正面図である。
【図６】図６は、収納棚の柱への取付構造を示す側面図である。
【図７】図７は、図１のVII−VII線拡大断面図である。
【図８】図８は、梁の拡大断面図である。
【図９】図９は、本発明の実施形態２に係る屋内建築物の平面図である。
【図１０】図１０は、実施形態２に係る屋内建築物の側面図である。
【図１１】図１１は、実施形態２に係る屋内建築物の斜視図である。
【発明を実施するための形態】
【００２９】
以下、本発明の実施形態を図面に基づいて詳細に説明する。以下の実施形態の説明は、本質的に例示に過ぎず、本発明、その適用物或いはその用途を制限することを意図するものでは全くない。
【００３０】
（実施形態１）
図１〜図３は本発明の実施形態１に係る屋内建築物Ａを示し、この屋内建築物Ａは、例えばショッピングセンター等の建物内における空間（以下、設置空間という）の床面Ｆに設置されるインフィル型の構造物であり、その内部が例えば子供用の遊び場所とされている。尚、以下の実施形態では、屋内建築物Ａの正面側を前とし、背面側を後として、前から見て左側及び右側をそれぞれ左及び右として説明する。
【００３１】
屋内建築物Ａは、設置空間の床面Ｆに設置された矩形枠状の基部１を有する。この基部１は木製の角材を矩形状に接合してなり、その１辺が例えば例えば３７３０ｍｍの正方形とされている。基部１における４つの隅角部と各辺の中央部とにはそれぞれ同じ高さの柱２，２，…が立設され、柱２は合計で８本とされている。各柱２は同じもので、例えば９０ｍｍの木製の角材からなり、柱２の高さは例えば２４００ｍｍとされている。
【００３２】
上記隣接する柱２，２の下端部間には根太３（上がり框）が配置されて固定され、この根太３は基部１に上面に載置固定されている。すなわち、基部１の上側に、屋内建築物Ａの周囲に位置する合計８本の根太３，３，…が柱２，２，…を介して枠状に配置されている。この各根太３も互いに同じもので、例えば９０ｍｍの木製の角材からなる。図７に示すように、根太３，３，…及び柱２，２，…で囲まれる部分には複数枚の床下地材４，４，…が配置され、この床下地材４，４，…は、その下面において設置空間の床面Ｆに対し所定の間隔を空けて配置した複数の束７，７，…により支持されている。床下地材４，４，…上には、互いに接合された複数枚の床板５，５，…が、その上面を根太３の上面と段差なく面一にしかつ床板５の端部や側縁部を根太３に隙間なく当接させた状態で配置されている。そして、柱２，２，…の下部間に横架された根太３，３，…と、この根太３，３，…の内部に配置され、設置空間の床面Ｆに束７，７，…により支持された床下地材４，４，…と、その上に敷設された床板５，５，…とにより、設置空間の床面Ｆに設置された正方形状の床部６が構成されており、この床部６の周囲の角部と各辺の中央部とに木製の柱２，２，…が立設されている。
【００３３】
上記隣接する柱２，２の上端部間には屋内建築物Ａの周囲に位置する合計８本の周囲梁９，９，…が横架されている。また、前側（図１で下側）及び後側（同上側）の左右中央部の柱の上端部間にも周囲梁９よりも長い前後方向に延びる１本の前後梁１０が横架されている。さらに、この前後梁１０の中央部と左側及び右側の前後中央部の柱２，２の上端部との間には左右方向に延びる２本の左右梁１１，１１が横架されている。この各梁９〜１１はいずれも長さが異なるだけで断面構造は互いに同じ例えば９０ｍｍの木製の角材からなり、図８に示すように、その下面には梁９〜１１の長さ方向に延びる凹溝１２が形成され、この凹溝１２内には断面コ字状の溝部材１３が嵌合固定されており、この溝部材１３の内部に、図示しないが例えば照明器具、その配線類、間仕切り部材支持用のレール、ロールスクリーン、障子用の鴨居等を収容できるようになっている。
【００３４】
さらに、屋内建築物Ａの後側に位置する３本の柱２，２，…のうち、左端の柱２と、この柱２に隣接する左右中央の柱２との間には左側収納棚１５が、また右端の柱２と、この柱２に隣接する左右中央の柱２との間には右側収納棚１６がそれぞれ架け渡され、これらの収納棚１５，１６は隣接する柱２，２間の壁部を構成している。図４及び図５に示すように、これらの収納棚１５，１６はいずれも矩形箱状のもので、内部の棚板２１や仕切り板２２の配置等が異なるだけで、外形の大きさは同一である。
【００３５】
すなわち、図４に左側収納棚１５を、また図５に右側収納棚１６をそれぞれ示しており、両収納棚１５，１６は、互いに同じ幅を有する天板１７及び底板１８と、これら天板１７及び底板１８の左右端部間に配置され、天板１７及び底板１８と同じ幅を有する左右の側板１９，１９と、天板１７及び底板１８の後部間に配置された裏板２０とを備えていて、表側の開口部が前側に向いた矩形箱状のとされている。両収納棚１５，１６の内部は左右水平方向に延びる複数の棚板２１，２１，…と、上下方向に延びる複数の仕切り板２２，２２，…とによって複数の収納空間に区画されている。尚、棚板２１と仕切り板２２とは、使用状態に応じて自由にレイアウトすることができる。また、収納棚１５，１６は棚板２１や仕切り板２２が全くなく、天板１７、底板１８及び側板１９，１９だけの箱状の収納棚であってもよい。
【００３６】
左側収納棚１５の左右方向の長さは、左端の柱２と左右中央の柱２との間隔と、また右側収納棚１６の左右方向の長さは、右端の柱２と左右中央の柱２との間隔とそれぞれ同じであり、両収納棚１５，１６は、これらの柱２，２間に挟まれた状態で両柱２，２に例えば左右の側板１９，１９にてそれぞれ固定されて支持されている。また、上記のように天板１７、底板１８及び左右の側板１９，１９の幅は同じであるが、いずれも両柱２，２の前後方向の幅よりも大きくて例えば２８５ｍｍを有しており、図６に示すように、各収納棚１５，１６は両柱２，２に対し、裏板２０裏面が柱２の後面と面一となり、前部が両柱２，２よりも前側（床部６の中央側）に突出するように固定されている。
【００３７】
そして、左側及び右側収納棚１５，１６（壁部）は互いに同じ例えば１４９０ｍｍの高さであり、いずれも両柱２，２の上下中間部間に架け渡されて固定されており、各収納棚１５，１６の上側には後側の周囲梁９，９との間に例えば３６５ｍｍの上部空間Ｓ１が、また下側には床部６の上面（根太３及び床板５の上面）との間に例えば同様の３６５ｍｍの下部空間Ｓ２がそれぞれ空けられている。このように下部空間Ｓ２を空けることで、各収納棚１５，１６の底板１８は床部６の上面から一定の高さ位置に位置することとなり、例えば子供が床から立ち上がる際に捉まる手すりの代わりとして利用することができる。
【００３８】
以上により、屋内建築物Ａは、柱２や梁９〜１１がそのまま露出した現し（あらわし）仕上げのスケルトン構造となっている。また、屋内建築物Ａをその後面が建物内の設置空間の壁面に近接ないし当接するように設置した場合、表側の開口部が床部の中央側を向いている左側及び右側収納棚１５，１６は、裏面が設置空間の壁面に近接ないし当接して設置される。そして、図１に示すように、屋内建築物Ａは、その平面視では、隣接する柱２，２間の長さを１辺とする４枚の「基準正方形」（図１で二点鎖線にて示している）を田の字型に並べた正方形を有する。
【００３９】
さらに、上記床部６の中央部に他の面よりも凹陥された平面視で円形状の凹陥部２５が形成されている。すなわち、図７に拡大して示すように、床部６の中央部における床板５，５，…及び床下地材４，４，…は円形状に刳り抜かれて、その内部には木製の円環状の縁部材２６が嵌め込まれて固定されている。この縁部材２６の高さは、設置空間の床面Ｆから床板５の上面までの高さ寸法と同じであり、縁部材２６の上面は床板５の上面と面一になって段差なく滑らかに連続している。縁部材２６の上面と内周面との間の角部は断面円弧状に面取りされている。また、縁部材２６の内周面の下端角部には上部よりも大径になるように切り欠かれて段部２６ａが形成され、この段部２６ａには、凹陥部２５の底部となる底板２７の外周部が嵌合されて固定され、この底板２７は下面で設置空間の床面Ｆに当接した状態で載置されている。尚、縁部材２６は、周方向に複数（例えば四半円）に分割した円弧状のものを円環状に組み付けて施工することが望ましい。そして、この凹陥部２５はプール（水や湯を溜める用途を除く）として利用されるようになっており、例えば床部６に座った子供等が足をプールに入れたり、プール周りの床部６で子供等が寝そべるか転がったり、さらにはプール内にボールや卵状のブロックＢ，Ｂ，…等を収容できるようにしている。尚、凹陥部２５（プール）は円形状の他、楕円形状や長円形状等の他の形状であってもよい。
【００４０】
したがって、上記実施形態においては、屋内建築物Ａは、内部が子供用の遊び場所であり、床部６の周りに複数の柱２，２，…が立設されて、それらの柱２，２，…間に周囲梁９，９，…、前後梁１０及び左右梁１１，１１が横架されたものであるので、柱２や梁９〜１１がそのまま露出した現し（あらわし）仕上げのスケルトン構造となる。このスケルトン構造では屋内建築物Ａの内部が外側から見えるので、建物内の設置空間に屋内建築物Ａが設置されているにも拘わらず圧迫感が生じることはなく、抜け感やすっきり感が得られる。しかも、収納棚１５，１６（壁部）の設置部分を除き、柱２，２間には壁がないので、それらの柱２，２間を通って屋内建築物Ａの内部（床部６）に対する出入りを自在に行うことができる。
【００４１】
また、屋内建築物Ａの後側において、左右中央の柱２と、これに隣接する左右端の柱２，２との間には壁部となる左側及び右側収納棚１５，１６が架け渡されて固定されているので、これらの収納棚１５，１６に遊具や玩具等の収納物を収納することができる。このことで、床部６上に収納スペースは不要となり、床部６のスペースを広く確保することができる。また、床部６上に収納物を収納するための収納容器を置く場合のように収納容器が倒れて収納物が散らばることもなく、安定して収納することができる。よって、床部６のスペースが広く確保され、遊具や玩具等の収納物が安定して収納される遊び場所を建物内の空間に区画することができる。
【００４２】
しかも、左側及び右側収納棚１５，１６は、柱２よりも床部６の中央側に突出しているので、収納棚１５，１６の奥行きは大に確保され、多くの量の収納物を収納することができる。
【００４３】
また、柱２，２間に収納棚１５，１６が固定されているので、それらの柱２，２同士が収納棚１５，１６によって連結された状態となり、構造の安定性が得られる。
【００４４】
さらに、収納棚１５，１６（壁部）は梁９〜１１と床部６との間にそれぞれ上下の空間部Ｓ１，Ｓ２を空けるように両柱２，２の上下中間部間に架け渡されて固定されているので、柱２，２間に収納棚１５，１６が壁となって架け渡されているとはいえ、その上下の空間Ｓ１，Ｓ２から屋内建築物Ａの内部が外側から見えるようになり、圧迫感を抑えて抜け感やすっきり感を確保することができる。
【００４５】
また、梁９〜１１の下面にはその長さ方向に延びる凹溝１２が形成されているので、この凹溝１２の溝部材１３内に例えば照明器具、その配線類、間仕切り部材支持用のレール、ロールスクリーン、障子用の鴨居等を収容することができ、梁９〜１１の外部に露出するものを可及的に抑えて見映えを良くすることができる。尚、凹溝１２は梁９〜１１の下面ではなく、下面以外の上面や側面に形成してもよい。また、梁９〜１１に代えて柱２に同様の凹溝１２を形成してもよく、梁９〜１１及び柱２の双方に凹溝１２を形成してもよい。
【００４６】
また、床部６の中央部に凹陥部２５が形成されているので、この凹陥部２５をプール（水や湯を溜める用途のプールではない）に似せることができる。そうすれば、例えば子供等が床部６に座って足をプールに入れたり、プール周りの床部６で寝そべるか転がったりすることができ、さらにはプール内にボールや卵状のブロックＢ，Ｂ，…等を収容して、それらで遊ぶことができる。
【００４７】
また、収納棚１５，１６は表側の開口部が床部６の中央側を向いているので、その裏面が設置空間の壁面に近接ないし当接するように屋内建築物Ａを設置すると、収納棚１５，１６の上下に空間部Ｓ１，Ｓ２が形成されていたとしても、その空間部Ｓ１，Ｓ２が設置空間の壁面によって塞がれることとなり、屋内建築物ａの内部にある遊具や玩具等の収納物が空間部Ｓ１，Ｓ２から抜け出ることはなく、特に床部６上の収納物が下側の空間部Ｓ２から抜け出し難くなる。
【００４８】
（実施形態２）
図９〜図１１は本発明の実施形態２を示し（尚、図１〜図８と同じ部分については同じ符号を付してその詳細な説明は省略する）、床部６の側方に通路を設け、その通路の一部をルーバー構造で覆ったものである。
【００４９】
すなわち、この実施形態では、屋内建築物Ａの床部６は実施形態１のものの半分の大きさの長方形とされ、この長方形は、実施形態１で説明した２枚の「基準正方形」が左右方向に並べられた形状を有する。尚、この実施形態では、床部６に凹陥部２５が形成されていない。
【００５０】
床部６の周囲の４つの隅角部と、前側の左右中央部及び後側の左右中央部とにはそれぞれ柱２が合計で６本立設され、前側の３本の柱２，２，…の下端部間と、後側の３本の柱２，２，…の下端部間と、左右端に位置する前後の柱２，２の下端部間とにはそれぞれ根太３，３，…が横架されている。これらの根太３，３，…で囲まれる部分に床下地材４が配置され、この床下地材４は設置空間の床面Ｆに複数の束７，７，…で支持され、その床下地材４上に複数枚の床板５，５，…が上面を根太３の上面と面一にして配置されている。
【００５１】
また、前側の３本の柱２，２，…の上端部間と、後側の３本の柱２，２，…の上端部間と、左右端に位置する前後の柱２，２の上端部間とにはそれぞれ周囲梁９，９，…が横架され、前側及び後側の左右中央部の柱２，２の上端部間にも前後方向に延びる１本の前後梁１０が横架されている。
【００５２】
そして、この実施形態では、床部６前側の側方には通路Ｐが形成され、この通路Ｐは設置空間の床面Ｆからなっている。通路Ｐにおいて上記床部６と反対側にある前端部には３本の通路用柱３０，３０，…が一定の間隔を空けて立設され、これらの通路用柱３０，３０，…は上記前側の３本の柱２，２，…（後側の３本の柱２，２，…）に前側から見て重なるように並んで設置されている。これら３本の通路用柱３０，３０，…と床部６前端部の３本の柱との間にはそれぞれ前後方向に延びる通路用梁３１，３１，…が横架されている。
【００５３】
また、上記通路用柱３０，３０，…の上端部間には左右方向に延びる２本の通路用梁３１，３１が、また下端部間には同方向に延びる２本の通路用根太３２，３２がそれぞれ横架されており、これらの通路用梁３１，３１及び通路用根太３２，３２により３本の通路用柱３０，３０，…が連結されている。
【００５４】
さらに、上記通路用柱３０，３０，…の上下中間部間には各柱３０の高さの略３等分位置に、通路用梁３１及び通路用根太３２と同じ前後幅を有する左右方向に延びる２本の上側横桟３８，３８及び２本の下側横桟３８，３８がそれぞれ架け渡され、各横桟３８は両端部で通路用柱３０，３０に固定されている。
【００５５】
上記床部６の前端部つまり通路Ｐ側に位置する周囲梁９，９と、上記通路用柱３０，３０，…間の左右方向に延びる通路用梁３１，３１との間には、前後方向（通路方向と交差する方向）に延びる例えば厚さ３０ｍｍで幅９０ｍの細長い多数のルーバー板材３４，３４，…が通路長さ方向に一定の間隔（例えば７８ｍｍ）を空けて並べられた状態で架け渡され、各ルーバー板材３４は、その上下面をそれぞれ周囲梁９及び通路用梁３１の上下面と面一になるように周囲梁９と通路用梁３１とに固定されている。これらのルーバー板材３４，３４，…により天井ルーバー３５が構成されており、この天井ルーバー３５は上記通路Ｐの上方に配置されている。
【００５６】
また、上記通路用柱３０，３０，…間の左右方向に延びる通路用梁３１，３１と通路用根太３２，３２との間、具体的には通路用梁３１，３１と上側横桟３８，３８との間、上下の横桟３８，３８同士の間、及び下側横桟３８，３８と通路用根太３２，３２との間には、上下方向（通路方向と交差する方向）に延びかつ天井ルーバー３５のルーバー板材３４，３４，…と同じ断面形状でかつ同じ数の細長いルーバー板材３６，３６，…が通路長さ方向に一定の間隔（例えば７８ｍｍ）を空けて並べられた状態で架け渡され、各ルーバー板材３６は、その前後面をそれぞれ通路用梁３１、横桟３８及び通路用根太３２の前後面と面一になるように通路用梁３１、横桟３８及び通路用根太３２に固定されている。これらのルーバー板材３６，３６，…により壁ルーバー３７が構成されており、この壁ルーバー３７は上記通路Ｐにおいて床部６と反対側縁部である前部に配置されている。天井ルーバー３５のルーバー板材３４，３４，…と壁ルーバー３７のルーバー板材３６，３６，…とは、互いに一体的に連続するように前側から見て対応して配置されている。その他の構成は上記実施形態１と同じである。
【００５７】
したがって、この実施形態においては、屋内建築物Ａにおける床部６前方は設置空間の床面Ｆからなる通路Ｐとされ、この通路Ｐの上方に、通路方向と交差する前後方向に延びる多数のルーバー板材３４，３４，…からなる天井ルーバー３５が、また通路Ｐの床部６と反対側縁部である前部には、通路方向と交差する上下方向に延びる多数のルーバー板材３６，３６，…からなる壁ルーバー３７がそれぞれ配置されているので、床部６が前方の通路Ｐにおいて天井ルーバー３５及び壁ルーバー３７に覆われた構造になり、屋内建築物Ａにおける床部６と通路Ｐとの一体感が生じる利点がある。
【００５８】
（その他の実施形態）
尚、上記実施形態１では、床部６の中央にプールとしての凹陥部２５を形成しているが、この凹陥部２５は必須でなく、なくしてもよい。
【００５９】
また、実施形態１の床部６を実施形態２と同様に、２つの「基準正方形」を並べた長方形としてもよい。
【００６０】
さらに、床部６は複数（例えば６つ）の「基準正方形」を直列に並べた細長い形状とすることもできる。また、必要に応じて、そのうちの一部に凹陥部２５（プール）を形成してもよい。そして、このように複数の「基準正方形」が直列に並べられた床部６の側方に、実施形態２と同様に通路Ｐを形成し、その通路Ｐの天井部に天井ルーバー３５を、床部６と反対側に壁ルーバー３７をそれぞれ通路Ｐの全体に亘り連続するように設けてもよい。
【００６１】
また、上記各実施形態では、収納棚１５，１６を屋内建築物Ａの後側に位置する３本の柱２，２，…間に固定しているが、他の隣接する柱２，２，…間に架け渡して固定するようにしてもよい。
【００６２】
さらに、上記各実施形態では、左側収納棚１５，１６及び右側収納棚１５，１６は開口部が床部６中央側に向いた構造としているが、屋内建築物Ａが設置空間の壁面と近接ないし当接していない状態で設置されるときには、これら収納棚１５，１６の開口部を床部６中央側と反対側に向いた外向きにしてもよい。こうすれば、屋内建築物Ａの外側から収納棚１５，１６に対し収納物を出し入れすることができるようになる。
【００６３】
また、上記各実施形態では、柱２，２間に壁部として収納棚１５，１６を架け渡しているが、この収納棚１５，１６に代えてパネル状の壁部を架け渡してもよい。
【産業上の利用可能性】
【００６４】
本発明は、圧迫感を抑えて抜け感やすっきり感を確保できる屋内建築物が得られ、極めて有用である。
【符号の説明】
【００６５】
Ａ  屋内建築物
Ｆ  設置空間の床面
Ｓ１  上部空間
Ｓ２  下部空間
Ｐ  通路
２  柱
３  根太
５  床板
６  床部
９  周囲梁
１０  前後梁
１１  左右梁
１２  凹溝
１５  左側収納棚（壁部）
１６  右側収納棚（壁部）
２５  凹陥部
３０  通路用柱
３１  通路用梁
３２  通路用根太
３４  ルーバー板材
３５  天井ルーバー
３６  ルーバー板材
３７  壁ルーバー
【図１】
2017036558.tif 000003
【図２】
2017036558.tif 000004
【図３】
2017036558.tif 000005
【図４】
2017036558.tif 000006
【図５】
2017036558.tif 000007
【図６】
2017036558.tif 000008
【図７】
2017036558.tif 000009
【図８】
2017036558.tif 000010
【図９】
2017036558.tif 000011
【図１０】
2017036558.tif 000012
【図１１】
2017036558.tif 000013